(57)【要約】【課題】パネルに組み付けられたボタン部のガタツキを抑制することができるボタン構造およびこれを備えた電子機器を提供する。【解決手段】ボタン部５ａは、一方の端部側に押し子６を有し、パネル２の開口部２ａに組み付けられて、押圧操作により他方の端部側を支点として回動する。ヒンジ部８は、パネル２の開口部２ａの内壁２ｃに接触する先端部８ａと先端部８ａから二股に延びた板ばね部８ｂとを有する。板ばね部８ｂは、先端部８ａから二股に延びた両側の板ばね部８ｂを含む幅が先端部８ａの幅の方向の長さＬ１よりも狭い部分８ｃから両側に広がってボタン部５ａの他方の端部側に連結されている。【選択図】図２
2017174724.tif 000002
【特許請求の範囲】
【請求項１】
一方の端部側に押し子を有し、パネルの開口部に組み付けられて、押圧操作により他方の端部側を支点として回動するボタン部と、
前記パネルの開口部の内壁に接触する先端部と、前記先端部から二股に延びた板ばね部とを有し、前記板ばね部が、前記先端部から二股に延びた両側の前記板ばね部を含む幅が前記先端部における前記幅の方向の長さよりも狭い部分から両側に広がって前記ボタン部の他方の端部側に連結されているヒンジ部と
を備えたことを特徴とするボタン構造。
【請求項２】
請求項１記載のボタン構造を備えた電子機器。
【発明の詳細な説明】
【技術分野】
【０００１】
この発明は、ヒンジ部を有する押しボタンのボタン構造およびこれを備えた電子機器に関する。
【背景技術】
【０００２】
従来の押しボタンの中には、押圧操作を受け付けるボタン部と、ボタン部と一体に形成されて弾性を有したヒンジ部とを備えるものがある。
例えば、特許文献１に記載された操作ボタン装置は、操作ボタンと、操作ボタンと一体に形成された折れ曲がり部を有する戻りスプリング部とを備えている。この操作ボタンがボタン部に相当し、戻りスプリング部がヒンジ部に相当する。
また、ボタン部をパネルの開口部に組み付けるときに、ヒンジ部の先端部が、パネルの開口部の内壁に設けられた係合凸部に掛かり止めされることで、ボタン部がパネルの開口部に抜け止めされる押しボタンもある。
【先行技術文献】
【特許文献】
【０００３】
【特許文献１】実開平３−９７９７７号公報
【発明の概要】
【発明が解決しようとする課題】
【０００４】
従来の押しボタンにおいて、ヒンジ部の先端部は、ボタン部がパネルに組み付けられた状態で、パネルの開口部の内壁に弾性接触している。
また、ボタン部の外周とパネルの開口部の内周との間には、ボタン部あるいはパネルにおける寸法公差を吸収するために、クリアランスが形成されている。
先端部の弾性接触でヒンジ部がボタン部をパネル側に強く付勢している部分では、このクリアランスでのボタン部の動きが規制されるが、ヒンジ部の付勢力が及ばない部分ではクリアランスでボタン部が動いてガタツキが発生する。
そこで、先端部を大きくしてヒンジ部の付勢力が及ぶ範囲を拡げれてやれば、ボタン部のガタツキを抑制することができる。
【０００５】
一方、押しボタンには、ボタン部をパネルの開口部に前面側から挿入して、ヒンジ部の先端部をパネルの開口部の内壁に設けられた係合凸部に掛かり止めしてボタン部をパネルに組み付けるものがある。このような構造の押しボタンでは、ボタン部をパネルの開口部に挿入した際に、ヒンジ部の先端部が係合凸部を乗り越えて掛かり止めされる。
しかしながら、前述したようにヒンジ部の先端部を大きくすると、その分だけ、先端部が係合凸部を乗り越えるときのヒンジ部の弾性変形で生じた応力が、ヒンジ部の根元部分に掛かり続けることになる。これによって、ヒンジ部の根元部分が塑性変形してヒンジ部が折れてしまう可能性があった。
【０００６】
この発明は上記課題を解決するもので、パネルに組み付けられたボタン部のガタツキを抑制することができるボタン構造およびこれを備えた電子機器を得ることを目的とする。
【課題を解決するための手段】
【０００７】
この発明に係るボタン構造は、ボタン部およびヒンジ部を備える。ボタン部は、一方の端部側に押し子を有し、パネルの開口部に組み付けられて、押圧操作により他方の端部側を支点として回動する。ヒンジ部は、パネルの開口部の内壁に接触する先端部と、先端部から二股に延びた板ばね部とを有する。板ばね部は、先端部から二股に延びた両側の板ばね部を含む幅が先端部の上記幅の方向の長さよりも狭い部分から両側に広がってボタン部の他方の端部側に連結されている。
【発明の効果】
【０００８】
この発明によれば、ヒンジ部を構成する板ばね部が、先端部から延びた両側の板ばね部を含む幅が先端部の長さよりも狭い部分から両側に広がってボタン部に連結されている。
このように構成することで、ヒンジ部の弾性変形で生じた応力が、板ばね部における幅狭の部分に分散される。これによって、先端部を大きくしてヒンジ部の付勢力が及ぶ範囲を拡げることができ、パネルに組み付けられたボタン部のガタツキを抑制することができる。
【図面の簡単な説明】
【０００９】
【図１】この発明の実施の形態１に係るボタン構造を備えた電子機器を示す斜視図である。
【図２】実施の形態１におけるボタン部のパネルへの組み付けの概要を示す斜視図である。
【図３】実施の形態１におけるボタン部を示す斜視図である。
【図４】図１の符号Ａを付した部分の拡大斜視図である。
【図５】実施の形態１に係るボタン構造を図４のＢ−Ｂ線で切った様子を示す断面矢示図である。
【図６】実施の形態１に係るボタン構造を図４のＣ−Ｃ線で切った様子を示す断面矢示図である。
【図７】実施の形態１に係るボタン構造をパネルの裏面側からみた様子を示す平面図である。
【発明を実施するための形態】
【００１０】
実施の形態１．
図１は、この発明の実施の形態１に係るボタン構造を備えた電子機器１を示す斜視図である。図２は、実施の形態１におけるボタン部５ａのパネル２への組み付けを示す斜視図である。電子機器１は、パネル２と本体筐体３とを備えており、例えば、車載用のナビゲーション装置、オーディオ機器によって実現される。パネル２には、表示部４および操作ボタン５が設けられている。また、操作ボタン５は、図２の矢印方向にパネル２の前面側から開口部２ａへ挿入されて組み付けられる。
【００１１】
図３は、ボタン部５ａを示す斜視図であり、ボタン部５ａをヒンジ部８側からみた様子を示している。ボタン部５ａの表側の面はボタン面５ｂになっており、ボタン面５ｂは、ボタン部５ａがパネル２の開口部２ａに組み付けられた状態で外部に露出する。ボタン面５ｂの一方の端部側には、ボタン面５ｂから突出した押圧部５ｂ−１が形成されている。
ボタン部５ａの裏側の面には、押し子６、位置決め凸部７およびヒンジ部８が形成されている。ここで、押し子６は、ボタン部５ａにおける一方の端部側から下方に長く延びた部材である。位置決め凸部７は、図３に示すように、ボタン部５ａにおける他方の端部の両側に形成された凸部である。
【００１２】
ヒンジ部８は、先端部８ａと先端部８ａから延びた板ばね部８ｂとを有しており、板ばね部８ｂの弾性力でボタン部５ａを回動位置から元の位置に復帰させる。先端部８ａは、図３に示すように、ボタン部５ａの幅方向に長い板状の部材である。
板ばね部８ｂは、先端部８ａから二股に延びた両側の板ばね部８ｂを含む幅が、先端部８ａの上記幅の方向の長さＬ１よりも狭い部分８ｃから両側に広がってボタン部５ａに連結されている。すなわち、先端部８ａから二股に延びた両側の板ばね部８ｂにおける部分８ｃの幅Ｗ１はＬ１よりも狭い。そして、両側の板ばね部８ｂは、この部分８ｃから互いに離れるように両側に広がって、幅がＷ１よりも広いＷ２になった状態でボタン部５ａに連結される。
【００１３】
次に、実施の形態１に係るボタン構造の詳細について説明する。
図４は、図１の符号Ａを付した部分の拡大斜視図である。また、図５は、実施の形態１に係るボタン構造を図４のＢ−Ｂ線で切った様子を示す断面矢示図である。図６は、実施の形態１に係るボタン構造を図４のＣ−Ｃ線で切った様子を示す断面矢示図である。さらに、図７は、実施の形態１に係るボタン構造をパネル２の裏面側からみた様子を示す平面図である。
【００１４】
パネル２の開口部２ａには、図５に示すように、内壁２ｂから突出した係合凸部２ｃが形成されている。また、開口部２ａの内部には基板９が配置されており、基板９にはスイッチ１０が実装されている。さらに、開口部２ａの周縁部には、図６に示すように、位置決め凸部７と係合する係合凹部２ｄが形成されている。
【００１５】
ボタン部５ａをパネル２の開口部２ａに挿入したときに、ヒンジ部８は、先端部８ａが開口部２ａの内壁２ｂに接触して板ばね部８ｂを撓ませた状態で挿入される。
先端部８ａが係合凸部２ｃに達すると、ヒンジ部８は、板ばね部８ｂをさらに撓ませながら先端部８ａが係合凸部２ｃを上るように挿入される。そして、先端部８ａが係合凸部２ｃを乗り越えると、図５および図６に示すように、係合凸部２ｃが両側の板ばね部８ｂの間に嵌合してボタン部５ａが開口部２ａから抜ける方向の動きを規制する。このとき、ヒンジ部８の板ばね部８ｂは内壁２ｂに接触しておらず、先端部８ａの端面８ａ−１のみが内壁２ｂに接触している。
【００１６】
また、位置決め凸部７は、図６に示すように、開口部２ａの周縁部に形成された係合凹部２ｄに落ち込む。ボタン部５ａは、押圧部５ｂ−１が押圧操作されると、係合凹部２ｄに落ち込んだ位置決め凸部７を支点として回動する。これにより、押し子６が押圧方向に移動してスイッチ１０を押圧する。このとき、板ばね部８ｂは、押圧方向と直行する内壁２ｂの方向に撓んでいる。このため、押圧部５ｂ−１の押圧操作が解除されると、ボタン部５ａは、板ばね部８ｂの撓みを戻す弾性力によって回動位置から元の位置に復帰する。
【００１７】
なお、実施の形態１に係るボタン構造において、先端部８ａが係合凸部２ｃを乗り越えるときのヒンジ部８の弾性変形で生じた応力は、板ばね部８ｂにおける幅狭の部分８ｃが弾性変形することによって分散される。このように、ヒンジ部８の根元部分への応力集中が軽減される構造になっている。
【００１８】
そこで、実施の形態１に係るボタン構造では、先端部８ａを大きくして内壁２ｂと弾性接触する範囲を拡げている。図５に示す例では、先端部８ａが、ボタン部５ａの幅方向に長い板状の部材であり、図７の符号Ｄで示すように、先端部８ａの端面８ａ−１の全面が内壁２ｂに弾性接触している。これによって、ヒンジ部８の付勢力がボタン部５ａに及ぶ範囲が拡がるので、ボタン部５ａとパネル２の開口部２ａとの間のクリアランスにおけるボタン部５ａの動きが規制されて、ボタン部５ａのガタツキが抑制される。
【００１９】
以上のように、実施の形態１に係るボタン構造において、ボタン部５ａは、一方の端部側に押し子６を有し、パネル２の開口部２ａに組み付けられて、押圧操作によって他方の端部側を支点として回動する。ヒンジ部８は、パネル２の開口部２ａの内壁２ｂに接触する先端部８ａと先端部８ａから二股に延びた板ばね部８ｂとを有する。板ばね部８ｂは、先端部８ａから二股に延びた両側の板ばね部８ｂを含む幅が先端部８ａの幅の方向の長さよりも狭い部分８ｃから外側に広がってボタン部５ａの他方の端部側に連結されている。
このように構成することで、ヒンジ部８の弾性変形により生じた応力が、板ばね部８ｂにおける幅狭の部分８ｃに分散される。これにより、先端部８ａを大きくしてヒンジ部８の付勢力が及ぶ範囲を拡げることができ、パネル２に組み付けられたボタン部５ａのガタツキを抑制することができる。
【００２０】
また、実施の形態１に係るボタン構造を電子機器１が備えるので、上記と同様の効果が得られる電子機器１を提供することができる。
【００２１】
なお、本発明はその発明の範囲内において、実施の形態の任意の構成要素の変形、もしくは実施の形態の任意の構成要素の省略が可能である。
【符号の説明】
【００２２】
１  電子機器、２  パネル、２ａ  開口部、２ｂ  内壁、２ｃ  係合凸部、２ｄ  係合凹部、３  本体筐体、４  表示部、５  操作ボタン、５ａ  ボタン部、５ｂ  ボタン面、５ｂ−１  押圧部、６  押し子、７  位置決め凸部、８  ヒンジ部、８ａ  先端部、８ａ−１  端面、８ｂ  板ばね部、８ｃ  幅狭の部分、９  基板、１０  スイッチ。
【図１】
2017174724.tif 000003
【図２】
2017174724.tif 000004
【図３】
2017174724.tif 000005
【図４】
2017174724.tif 000006
【図５】
2017174724.tif 000007
【図６】
2017174724.tif 000008
【図７】
2017174724.tif 000009